(57)【要約】【課題】ＣＰＵやＲＯＭ等の電子部品を封印する封印シールの剥離または切断を迅速・確実に検知できるようにする等の不正監視手段を備えた遊技機を提供する。【解決手段】導電性を有する封印シール１５０でＣＰＵチップ２００を跨ぐように封印し、封印シールの各端部が貼着される基板の裏面側に一対の導電コイル１０４ａ、１０４ｂを配置する。一方の導電コイルへ交流の一次電流を供給することで封印シールに渦電流を発生させ、表面を伝搬する渦電流により他方の導電コイルに二次電流を励起させる。判定回路１１７は、一次電流に対する二次電流の伝搬比率が基準値以下となった場合に封印シールの剥離または切断を判定する。このときラッチ回路１２０は、所定の解除操作があるまでＣＰＵチップへその作動を禁止する信号を出力する。【選択図】図４
2009050536.tif 000002
【特許請求の範囲】
【請求項１】
基板の少なくとも何れか一つの面にソケットを介して着脱可能に装着される所定の電子部品を含めて構成される電子制御回路により遊技動作が制御される遊技機であって、
導電性を有する封印シールが前記ソケットに装着されている前記電子部品を跨いでその各端部が前記基板の一つの面に貼着されることで当該電子部品の脱着を封印し、
前記封印シールの各端部が貼着される前記基板の他の面側の位置にそれぞれ実装される一対の導電コイルと、
何れか一方の前記導電コイルへ一次電流を供給する電源手段と、
前記一次電流により前記封印シールの表面に発生する渦電流の伝搬により他方の前記導電コイルに励起される二次電流を検出する電流検出手段と、
前記一次電流に対する前記二次電流の比が所定の基準値以下となったときに前記封印シールの剥離又は切断を判定する判定手段と、を備えていることを特徴とする遊技機。
【請求項２】
基板の少なくとも何れか一つの面にソケットを介して着脱可能に装着される所定の電子部品を含めて構成される電子制御回路により遊技動作が制御される遊技機であって、
導電性を有する封印シールが前記ソケットに装着されている前記電子部品を跨いでその各端部が前記基板の一つの面に貼着されることで当該電子部品の脱着を封印し、
前記封印シールの各端部が貼着される前記基板の他の面側の位置にそれぞれ実装される一対の導電コイルと、
何れか一方の前記導電コイルへ一次電流を供給する電源手段と、
前記一次電流により前記封印シールの表面に発生する渦電流の伝搬により他方の前記導電コイルに励起される二次電流を検出する電流検出手段と、
前記一次電流と前記二次電流の位相を比較し、これらの位相差が所定の基準値を超えたときに前記封印シールの剥離又は切断を判定する判定手段と、を備えていることを特徴とする遊技機。
【請求項３】
前記判定手段が前記封印シールの剥離または切断を検知したときに出力する検知信号を保持する状態保持手段と、
該状態保持手段が前記検知信号を保持する間に出力する状態保持信号に基づいて、前記電子部品の作動を禁止若しくは制限する作動禁止信号を出力する作動禁止手段と、を更に備えていることを特徴とする請求項１又は２に記載の遊技機。
【請求項４】
所定の操作入力若しくは所定の複数の操作入力の組み合わせに応じて、前記状態保持手段に対し前記検知信号を保持する状態を解除する状態解除手段を更に備えていることを特徴とする請求項３に記載の遊技機。
【請求項５】
一方の前記導電コイルの接続を前記電源手段に切り換えると同時に他方の前記導電コイルの接続を前記電流検出手段に切り換える切換手段を更に備えていることを特徴とする請求項１〜４の何れか１項に記載の遊技機。
【発明の詳細な説明】
【技術分野】
【０００１】
本発明は、スロットマシン、パチンコその他の遊技機に関し、特に不正行為を防止するための対策が講じられた遊技機に関する。
【背景技術】
【０００２】
例えばスロットマシンまたはパチンコ等の遊技機にあっては、ＣＰＵ、ＲＯＭ及びＲＡＭ等で構成された複数の制御基板が内部に設置され、主制御基板とよばれるメインの制御基板のＲＯＭに記憶されたシステムプログラムに従って全体の遊技動作が制御されるようになっている。例えばスロットマシンの場合には、上述の主制御基板が大当たりを抽選したり、大当たり時に連続して発生する入賞回数の管理等を行っており、このような大当たりを発生させる抽選確率や連続する入賞回数などの遊技の勝敗、すなわち出玉に関係する数値データが予めＲＯＭに設定されている。
【０００３】
なお、上述した遊技機の主制御基板に備えられるＣＰＵは、ＲＯＭ及びＲＡＭ等の半導体メモリと、その他信号の入出力に関わるインタフェース回路等とともに１つのチップにパッケージ化されているものが一般的である。通常、かかる専用のマイコンチップ（以下これを「ＣＰＵチップ」という。）は、主制御基板に対しソケットを介して着脱可能に装着されている。
【０００４】
ところで、遊技者のなかには、上述のＣＰＵチップやＲＯＭ等のＩＣ（電子部品）を不正に抜き取り、これらをより有利な条件で遊技ができるようにデータを改ざんした別のＩＣ（裏ＲＯＭ）に差し換えることで、高い配当を不当に得ようとする者がいる。このような不正行為がされると、遊技の公正さが失われるだけでなくホール側にも多大な損害を与えることとなる。
【０００５】
そこで、従来、遊技機の主制御基板においては、ＣＰＵチップとソケットの両者に跨るように封印シールが貼着され（例えば特許文献１参照）、更には基板自体を「かしめ」と呼ばれる特殊な封着手段を介して閉じられる透明な基板ケース内に収容している。
すなわち、封印シールが切断されるとその痕跡が残るようになっているため、透明な基板ケースの外部からでもＣＰＵチップへの不正がされた事実を容易に発見できるようにしている。
【０００６】
また、封印シールに所定の抵抗値の電気抵抗を配置して接続回路を形成し、封印シールを剥がしたときにその一部とともに接続回路が切断されるようにして、抵抗値の変化から当該封印シールの切断を検出するようにした検知システムも提案されている（例えば特許文献２参照）。
この従来技術によれば、不正行為が行われた時点でその発生を検知するため、早期に周囲への警報や監視用コンピュータへ報知することができ、その結果、不正行為の完遂を未然に防ぐことが可能となる。
【０００７】
【特許文献１】特開２００７−０００３３２号公報
【特許文献２】特開２００７−０１１６７６号公報
【発明の開示】
【発明が解決しようとする課題】
【０００８】
しかし、特許文献１や特許文献２の従来技術では、例えば鋭利なカミソリ等の刃を使って封印シールを切断せずに剥がした等の場合には、貼り直された封印シールに不正の痕跡が残らず、また接続回路が切断されずにセンサが反応しない等が想定され、必ずしも十分な不正対策とはいえなかった。
【０００９】
本発明は、こうした課題に鑑みてなされたものであり、制御基板に実装されるＣＰＵやＲＯＭ等の電子部品を封印する封印シールの剥離または切断を迅速・確実に検知できるようにする等の不正監視手段を備えた遊技機を提供することを目的としている。また、本発明は、改造された電子部品による不正な遊技の実行を確実に防止し得る遊技機を提供することを目的としている。
【課題を解決するための手段】
【００１０】
上述した課題を解決するための有効な手段について、必要に応じて作用または効果等を示しながら説明する。なお、理解を容易にするため、本明細書中の実施の形態において対応する構成要素を符号とともに括弧書き等で適宜例示するが、これらの具体的構成は本発明を限定するものではない。
【００１１】
手段１．基板（主制御基板１００）の少なくとも何れか一つの面にソケット（ソケット２１０）を介して着脱可能に装着される所定の電子部品（ＣＰＵチップ２００）を含めて構成される電子制御回路により遊技動作が制御される遊技機（スロットマシン１）であって、導電性を有する封印シール（封印シール１５０）が前記ソケットに装着されている前記電子部品を跨いでその各端部が前記基板の一つの面に貼着されることで当該電子部品の脱着を封印し、前記封印シールの各端部が貼着される前記基板の他の面側の位置にそれぞれ実装される一対の導電コイル（導電コイル１０４ａ、１０４ｂ）と、何れか一方の前記導電コイルへ一次電流を供給する電源手段（交流電源１１５と送信アンプ１１４）と、前記一次電流により前記封印シールの表面に発生する渦電流の伝搬により他方の前記導電コイルに励起される二次電流を検出する電流検出手段（受信アンプ１１６）と、前記一次電流に対する前記二次電流の比が所定の基準値以下となったときに前記封印シールの剥離又は切断を判定する判定手段（判定回路１１７）と、を備えていることを特徴とする。
【００１２】
この手段によれば、封印シールの各端部が貼着されている基板の他の面側に実装される一方の導電コイルへ電源手段が一次電流を供給することで、封印シールに渦電流を発生させる。封印シールが正常であれば、渦電流は封印シールの他の端部の側に実装される他方の導電コイルに二次電流を励起させる。判定手段は、一次電流に対する二次電流の比が所定の基準値以下となったときに封印シールの剥離又は切断を判定する。これにより、封印シールの剥離または切断を直ちに検知することができる。
【００１３】
手段２．基板（主制御基板１００）の少なくとも何れか一つの面にソケット（ソケット２１０）を介して着脱可能に装着される所定の電子部品（ＣＰＵチップ２００）を含めて構成される電子制御回路により遊技動作が制御される遊技機（スロットマシン１）であって、導電性を有する封印シール（封印シール１５０）が前記ソケットに装着されている前記電子部品を跨いでその各端部が前記基板の一つの面に貼着されることで当該電子部品の脱着を封印し、前記封印シールの各端部が貼着される前記基板の他の面側の位置にそれぞれ実装される一対の導電コイル（導電コイル１０４ａ、１０４ｂ）と、何れか一方の前記導電コイルへ一次電流を供給する電源手段（交流電源１１５と送信アンプ１１４）と、前記一次電流により前記封印シールの表面に発生する渦電流の伝搬により他方の前記導電コイルに励起される二次電流を検出する電流検出手段（受信アンプ１１６）と、前記一次電流と前記二次電流の位相を比較し、これらの位相差が所定の基準値を超えたときに前記封印シールの剥離又は切断を判定する判定手段（判定回路１１７）と、を備えていることを特徴とする。
【００１４】
この手段によれば、封印シールの各端部が貼着されている基板の他の面側に実装される一方の導電コイルへ電源手段が一次電流を供給することで、封印シールに渦電流を発生させる。封印シールが正常であれば、渦電流は封印シールの他の端部の側に実装される他方の導電コイルに二次電流を励起させる。判定手段は、一次電流と二次電流の位相を比較し、これらの位相差が所定の基準値を超えたときに封印シールの剥離又は切断を判定する。これにより、封印シールの剥離または切断を直ちに検知することができる。
【００１５】
手段３．前記判定手段が前記封印シールの剥離または切断を検知したときに出力する検知信号を保持する状態保持手段（ラッチ回路１２０）と、該状態保持手段が前記検知信号を保持する間に出力する状態保持信号に基づいて、前記電子部品の作動を禁止若しくは制限する作動禁止信号を出力する作動禁止手段（ラッチ回路１２０と反転回路１２３）と、を更に備えていることを特徴とする。
【００１６】
この手段によれば、判定手段が封印シールの剥離または切断を検知したときに出力する検知信号を、状態保持手段及び作動禁止手段である例えばラッチ回路１２０が保持し、それ以降当該電子部品の作動を禁止する作動禁止信号（例えばＣＰＵのチップイネーブル信号をネガティブにする等）を出力する。これにより、改造された電子部品による不正な遊技の実行を防止する。
【００１７】
手段４．所定の操作入力若しくは所定の複数の操作入力の組み合わせに応じて、前記状態保持手段に対し前記検知信号を保持する状態を解除する状態解除手段（主電源装置１２２のキースイッチＫＳＷを含む複数の操作入力手段と、操作入力手段からのスイッチ出力の論理判定を行うデコード回路１２１等）を更に備えていることを特徴とする。
【００１８】
この手段によれば、状態解除手段は、所定の操作入力に応じてラッチ回路１２０等の状態保持手段の保持状態を解除させ当該電子部品の作動を許可する。これにより、解除操作の手続きを複雑にし、特定者以外の者による不正な解除操作を困難にする。
【００１９】
手段５．一方の前記導電コイルの接続を前記電源手段に切り換えると同時に他方の前記導電コイルの接続を前記電流検出手段に切り換える切換手段を更に備えていることを特徴とする。
【００２０】
この手段によれば、切換手段が導電コイルの接続を随時交互に切り換えることで、封印シールに発生する渦電流による局所的な過熱現象を回避し、渦電流の伝搬特性を一定にして判定動作を安定化させる。
【発明の効果】
【００２１】
上述したように本発明の遊技機によれば、所定の電子部品を封印する封印シールに渦電流を発生させ、その伝搬特性を不正監視手段が監視することで、当該封印シールの剥離及び切断を迅速かつ確実に検知することができる。また、一旦、封印シールの剥離等を検知した場合には、それ以降当該電子部品の作動を禁止するため、改造された電子部品による不正な遊技の実行を未然に防止することができる。
【００２２】
また、所定の操作入力若しくは所定の複数の操作入力を条件に、当該電子部品の作動禁止の状態を解除するようにしたので、解除操作の手続きを複雑にし、特定者以外の者による不正な解除操作を困難にすることができる。
【発明を実施するための最良の形態】
【００２３】
以下、本発明に係る遊技機の好適な実施形態としてスロットマシン１を説明する。図１は、スロットマシン１の外観構造を表した斜視図である。スロットマシン１は、矩形箱状のキャビネット２と、当該キャビネット２に開閉可能に取り付けられる前扉３とからなる筐体を備えている。通常時においては、図１に示されるように、前扉３がキャビネット２に対し閉塞した状態で施錠されている。
【００２４】
前扉３の前面側には、遊技者に面する化粧板としてのいわゆるフロントパネルが形成されている。フロントパネルの上段部には、高輝度のＬＥＤを内蔵する上部ランプ５やコーナーランプ６ａ、６ｂ、また、スピーカを内蔵する左右の放音部７ａ、７ｂなどが配設されている。
【００２５】
また、フロントパネル上段部の中央に、液晶表示装置８が配設されている。なお、上部ランプ５、コーナーランプ６ａ、６ｂ、液晶表示装置８は、ゲームを演出する演出手段として用いられる。
【００２６】
フロントパネルの中段部には、平坦な樹脂板からなる中パネル９が設けられ、中パネル９の中央に形成された四角形の透明領域である表示窓９ａを介して、キャビネット２内部の３個のリール１０ａ、１０ｂ、１０ｃが視認可能とされている。なお、各リール１０ａ、１０ｂ、１０ｃは、それぞれ独立して回転可能であり、それぞれの外周面に描かれた縦３個、横３列の図柄（図示略）が表示窓９ａを介して変動表示されるようになっている。
【００２７】
中パネル９の下方には、前方に若干突出する卓状の操作卓１８が形成されている。この操作卓１８には、ゲームに賭けるメダルを投入するためのメダル投入部１１と、ゲーム開始を操作指示するためのベットボタン１２と、リール１０ａ、１０ｂ、１０ｃの回転開始操作をするためのスタートレバー１３と、各リール１０ａ、１０ｂ、１０ｃの回転停止操作をするためのストップボタン１４ａ、１４ｂ、１４ｃ等がそれぞれ所定の位置に配設されている。
【００２８】
フロントパネルの下段部には、スロットマシン１のモデルタイプ等を遊技者へ認識させるための、例えば登場キャラクターの絵柄（図示略）などが印刷された略四角形のプラスチック板である下パネル１５が取り付けられている。
【００２９】
フロントパネルの最下部には、入賞等の際にメダルを払い出すためのメダル払出口１６と、メダル払出口１６から払い出されたメダルを貯留するための受け皿４ａが形成された下皿部材４が取り付けられている。また、下皿部材４には、スピーカを内蔵する放音部１７ａ、１７ｂがそれぞれ左右位置に形成されている。
【００３０】
かかる構成のスロットマシン１は、マイコンからなる後述の主制御基板１００（図２参照）によりゲーム動作が制御される。すなわち、スロットマシン１は、先のゲームにおいて入賞しメダルの払い出しを完了させた時、または先のゲームにおいてハズレが確定すると待機状態となる。この状態において、遊技者がベットボタン１２を押圧操作することにより、内部に貯留したメダル（クレジット）から当該ゲームにメダルが賭けられゲームが開始する。このゲーム開始の状態でスタートレバー１３が傾倒操作されると、主制御基板１００は、リール１０ａ、１０ｂ、１０ｃを一斉に回転させると同時に、表示窓９ａに設定される有効ラインに引き込み停止制御可能な図柄の組み合せ、すなわち内部役を抽選する。
【００３１】
この内部抽選により何れかの内部役を当選したとき（当選した内部役を「内部当選役」ともいう）、その結果が主制御基板１００のＲＡＭの所定記憶領域に設定される内部当選フラグにセットされる。なお、この内部当選フラグがセットされ入賞が内定している状態を「内部当選状態」という。
【００３２】
次に、主制御基板１００は、ストップボタン１４ａ、１４ｂ、１４ｃが押圧操作されるに応じて対応するリールを順に停止させる。そして、主制御基板１００は、全てのリール１０ａ、１０ｂ、１０ｃが停止したのを検知した後、各リールが有効ラインに表示する図柄の組み合せと、上述の内部当選フラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、その上限を超える枚数分のメダルをメダル払出口１６より遊技者に払い出している。
【００３３】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００３４】
次に、主制御基板１００の基板上にソケット２１０を介して装着されるＣＰＵチップ２００の脱着を封印する封印シール１５０と、封印シール１５０の剥離及び切断を監視する不正監視手段を説明する。ここで、図２は、ＣＰＵチップ２００がソケット２１０に装着された状態での主制御基板１００の一部を表した斜視図である。また、図３は、図２に示した状態での主制御基板１００及びソケット２１０の断面構造を表した部分断面図である。
【００３５】
ここで、所定の電子部品の例であるＣＰＵチップ２００は、ＣＰＵコアと、ＲＯＭ及びＲＡＭ等の半導体メモリと、その他信号の入出力に関わるインタフェース回路等が集約された、遊技機専用のワンチップマイコンとして機能し、これらチップセットがパッケージ化されたディスクリートＩＣの形態を有している。なお、専用のワンチップマイコンを採用しない遊技機の場合やサブ制御基板の場合には、ディスクリートのＣＰＵまたはＲＯＭ等の電子部品の封印シールを監視対象として選択してもよい。
【００３６】
図２及び図３に示されるように、ソケット２１０は、主制御基板１００の実装面１００ａ（図２及び図３では上側面）上に半田付けされて固定され、ＣＰＵチップ２００がソケット２１０に装着されることで当該スロットマシン１を制御する所定の電子制御回路が構成されている。また、実装面１００ａとは反対側の面が配線面１００ｂとなっており、配線面１００ｂには後述する配線１０１、１０２、１０３などの回路結線がプリント形成されている。
【００３７】
ＣＰＵチップ２００は、帯状の封印シール１５０によりソケット２１０からの脱着が封印されている。すなわち、封印シール１５０は、ＣＰＵチップ２００を跨ぐように密着し、各端部がソケット２１０の対向する両側端に近接する実装面１００ａ上に貼着されている。これにより、ＣＰＵチップ２００は封印シール１５０を剥がすか若しくは切断しない限り、ソケット２１０から脱着することができない構造となっている。
【００３８】
また、封印シール１５０は、例えばアルミ箔等の導電性を有しかつ破断し易い素材により形成されている。すなわち、封印シール１５０は、主制御基板１００に対する貼着力よりも小さなせん断力で破断する素材で形成され、または貼着力よりも小さなせん断力で破断するような例えば肉薄若しくは破線状に切れ目孔が開けられた容易破断部（不図示）が形成されている。すなわち、封印シール１５０を主制御基板１００から剥がそうとしたときには、何れかの部分で破断（切断）するため、これによりＣＰＵチップ２００がソケット２１０から脱着された事実、または脱着まで至らなくても封印が一旦解かれた事実が切断された痕跡として残されるようになっている。
【００３９】
主制御基板１００の配線面１００ｂ側であって、当該基板を挟んで上述の封印シール１５０が貼着される各端部に対向する位置には、一対の導電コイル１０４ａ、１０４ｂが各軸を封印シール１５０の貼着面に直交させてそれぞれ実装されている。
【００４０】
次に、上述の導電コイル１０４ａ、１０４ｂを用いて、封印シール１５０の剥離及び切断を迅速かつ確実に検知するようにした不正監視手段の詳細を説明する。ここで、図４は、不正監視手段の一つの実施形態を表したブロック図である。
【００４１】
同図を参照して、導電コイル１０４ａは、配線１０１を介して切換スイッチ１１１に接続されている。同様に、導電コイル１０４ｂは、配線１０２を介して切換スイッチ１１２に接続されている。交流電源１１５は、送信アンプ１１４を介して、切換スイッチ１１１、１１２の切換状態に応じて導電コイル１０４ａ、１０４ｂの何れか一方へ交流電流を供給するように接続されている。
【００４２】
また、受信アンプ１１６は、切換スイッチ１１１、１１２の切換状態に応じて送信アンプ１１４に接続していない側の導電コイル１０４ａまたは導電コイル１０４ｂに接続するように回路構成されている。切換スイッチ１１１、１１２は、例えば制御リレーまたはゲート駆動回路である切換駆動回路１１３によって、一方が送信アンプ１１４に接続すると他方が受信アンプ１１６に切り変わるように相互排反的に連動するスイッチから構成されている。
【００４３】
切換駆動回路１１３は、切換スイッチ１１１、１１２を例えば定期的に随時自動的に切り換える。このように、切換スイッチ１１１、１１２を随時切り換えることで、後述する渦電流のジュール熱による局所的な誘導過熱現象を回避し、封印シール１５０における渦電流の伝搬特性を一定にして、判定動作を安定化させている。
【００４４】
封印シール１５０がＣＰＵチップ２００を正しく封印した状態（以下これを「封印状態」という）で、交流電源１１５及び送信アンプ１１４から一方の例えば導電コイル１０４ａへ交流の一次電流が供給されると、導電コイル１０４ａに対向して基板に貼着されている封印シール１５０の端部に渦電流が発生する。渦電流は導電体の表層を伝わる性質を有するため、導電性を有するシート状の封印シール１５０に欠損した箇所がなければ、他方側の端部まで効率良く伝搬する（図３参照）。
【００４５】
封印シール１５０の他方側の端部まで伝搬した渦電流により、導電コイル１０４ｂに二次電流が励起される。励起された二次電流は、受信アンプ１１６により増幅されて判定回路１１７へ入力される。
【００４６】
判定回路１１７は、交流電源１１５が導電コイル１０４ａへ出力した一次電流と、導電コイル１０４ｂに励起された二次電流との比（具体的にはエンベロープ比、例えば伝搬比率＝ＥＮＶ（二次電流）／ＥＮＶ（一次電流））を求める。そして、判定回路１１７は、基準値設定回路１１８で参照される所定の基準値と求めた伝搬比率とを比較し、伝搬比率が基準値以下となったとき、封印シール１５０が剥がされ若しくは切断した状態にあると判定しこれを検知する。
【００４７】
つまり、封印シール１５０が切断またはその一部が欠損すると、渦電流の伝搬効率が著しく低下するために、二次側の導電コイル１０４ｂに二次電流が励起されなくなる。また、封印シール１５０が一次側（導電コイル１０４ａ側）で剥がされると封印シール１５０に渦電流が発生せず、他方二次側（導電コイル１０４ｂ側）で剥がされると渦電流を検出できなくなるため、いずれにしても封印シール１５０が剥がされた場合には、二次側の導電コイルでは電流を検知しなくなる。判定回路１１７は、かかる特性に基づき封印シール１５０の剥離及び切断を検知している。なお、判定回路１１７は、一次電力に対する二次電力の変換効率に基づいて封印シール１５０の状態を判定してもよい。
【００４８】
また、基準値設定回路１１８は、例えば不揮発性のメモリからなり、封印シール１５０が封印状態のときの許容される最小の伝搬比率を所定の基準値として記憶している。また、基準値設定回路１１８は、メモリでなくても所定の基準値をアナログの基準電圧等で出力する参照回路として構成されるものでもよい。
【００４９】
判定回路１１７は、封印シール１５０が剥離または切断したと判定すると、ハイレベル（Ｈ）の検知信号を状態保持手段としてのラッチ回路１２０へ出力する。ラッチ回路１２０は、判定回路１１７からの検知信号を保持することができる、例えばフリップフロップ回路から構成される。すなわち、ラッチ回路１２０は、ハイレベル（Ｈ）の検知信号がセット入力Ｓに入力されると出力Ｑをハイレベル（Ｈ）に設定し、それ以降、状態解除信号がリセット入力Ｒに入力されるまでこの状態を保持する。
【００５０】
つまり、一旦、判定回路１１７が封印シール１５０の剥離または切断を検知すると、ラッチ回路１２０はこの状態を保持するとともに、この間、出力Ｑから異常報知信号とともにＣＰＵチップ２００を動作させないようにする作動禁止信号を出力する。図４に示されるように、ラッチ回路１２０の出力Ｑは、例えば反転回路１２３を介してＣＰＵチップ２００のチップイネーブル（ＥＮＡＢＬＥ）またはチップセレクト（ＳＥＬ）端子に対応するピン端子に配線１０３を介して接続されている。すなわち、封印シール１５０の剥離または切断が一旦検知されると、ＣＰＵチップ２００のチップイネーブル（ＥＮＡＢＬＥ）またはチップセレクト（ＳＥＬ）端子に反転されたローレベル（Ｌ）の信号が入力されるため、ＣＰＵチップ２００の動作が禁止される。これとともに、出力Ｑからの信号を異常報知信号として異常報知手段へ出力することで、不正行為等に起因する異常の発生を内外へ報知することができる。
【００５１】
異常報知手段としては、具体的には例えばスロットマシン１の上部ランプ５、コーナーランプ６ａ、６ｂ等のランプ類、放音部７ａ、７ｂ、１７ａ、１７ｂ等のスピーカまたは液晶表示装置８等であり、図示しないサブ制御基板が異常報知信号を受信するに応じてこれらの手段に音や光及び映像等による警報を出力させる。また、ホールの管理コンピュータであるホールコンピュータへ異常の発生を報知してもよい。
【００５２】
ラッチ回路１２０へ状態解除信号を出力することで保持状態を解除する状態解除手段は、スロットマシン１の例えば主電源装置１２２のメインスイッチＭＳＷと所定鍵ＫＥＹで操作入力されるキースイッチＫＳＷ等の複数の操作入力手段と、デコード回路１２１とにより構成されている。また、必要に応じて状態解除手段の操作入力手段に第三の操作入力スイッチＳＳＷを加えてもよい。この第三の操作入力スイッチＳＳＷは、例えば設定スイッチ、リセットスイッチ、精算スイッチなどであり、これら組み合わせるものであってもよい。また、第三の操作入力スイッチＳＳＷは、スロットマシン１に既存のスイッチを代用（兼用）しないで新たに設けてもよい。
【００５３】
なお、状態解除手段の操作入力手段として挙げたメインスイッチＭＳＷ、キースイッチＫＳＷ、第三の操作入力スイッチＳＳＷ等はあくまでも例示であり、実際上、どのスイッチが操作入力手段を構成するかは特定者以外には秘密として管理される。
【００５４】
図４の例では、所定の解除操作である、例えばメインスイッチＭＳＷ、キースイッチＫＳＷ及び操作入力スイッチＳＳＷが同時に、または所定の順序でオンされたときなどに、デコード回路１２１がこれを論理判定して状態解除信号を生成し、ラッチ回路１２０のリセット入力Ｒへ状態解除信号を入力する。これにより、ラッチ回路１２０の保持状態が解除されるとともに出力Ｑがローレベル（Ｌ）、すなわち作動禁止信号がネガティブとなり、ＣＰＵチップ２００の動作を復帰させる。
【００５５】
以上説明したスロットマシン１によれば、所定の電子部品であるＣＰＵチップ２００の封印シール１５０が剥離または切断されたのを不正監視手段が直ちに検知するので、不正行為者が封印シール１５０にアクセスした時点で不正を発見し報知することができる。また、例えば鋭利なカミソリ等の刃を使って封印シール１５０を切断せずに剥離した場合や、封印シール１５０の一部に切れ目を入れただけでも渦電流を検出しなくなるため、不正を迅速かつ確実に検知することができるようになる。したがって、不正行為の完遂を未然にかつ確実に防止することができる。
【００５６】
また、封印シール１５０が剥離または切断されると、ラッチ回路１２０がこの状態を保持し、それ以降ＣＰＵチップ２００の動作を電気的に禁止するようにした。これにより、データやプログラムを改造した不正なＣＰＵチップ２００の差し換えによるゲームの実行を不可能にすることができる。
【００５７】
また、例えばメインスイッチＭＳＷ、キースイッチＫＳＷ、操作入力スイッチＳＳＷ等の複数の操作入力手段からのスイッチ出力の論理判定の結果に基づいて、ＣＰＵチップ２００の動作禁止状態を解除するようにしたので、解除操作の手続きを複雑にし、ホールの管理責任者等の特定者以外の者による不正な解除操作を防止することもできる。
【００５８】
なお、上述した判定回路１１７は、交流電源１１５が出力した一次電流と受信アンプ１１６が増幅する二次電流との位相差（位相シフトまたは位相遅れ）に基づいて封印シール１５０の剥離及び切断を検知してもよい。この場合においては、判定回路１１７は位相差検出回路を有して構成され、検出した一次電流と二次電流の位相差が基準値設定回路１１８で参照される所定の基準値よりも大きいと判定したとき、封印シール１５０が剥がされ若しくは切断した状態にあると判定する。
【００５９】
つまり、封印シール１５０が切断または一部が欠損すると、渦電流の伝搬に係るインピーダンス（インダクタンス成分）が増大するため、二次側の導電コイルで検出される電流の位相が封印状態時よりも遅れることとなる。また、封印シール１５０が導電コイルの一次側で剥がされると渦電流が発生せず、他方、二次側で剥がされると渦電流を検出できなくなるため、いずれにしても封印シール１５０が剥がされた場合には位相遅れは無限大となる。判定回路１１７は、かかる特性に基づいて封印シール１５０の剥離及び切断を迅速かつ確実に検知することができる。
【図面の簡単な説明】
【００６０】
【図１】本発明に係る遊技機の一実施形態であるスロットマシンの外観斜視図である。
【図２】図１に示したスロットマシンにおける、ＣＰＵチップがソケットに装着された状態での主制御基板の一部を表した斜視図である。
【図３】図２に示した状態での主制御基板の部分断面図である。
【図４】図１に示したスロットマシンに備えられる不正監視手段の一実施形態を表したブロック図である。
【符号の説明】
【００６１】
１  スロットマシン
２  キャビネット                          ３  前扉
４  下皿部材                              ５  上部ランプ
６ａ、６ｂ  コーナーランプ                ７ａ、７ｂ  放音部
８  液晶表示装置                          ９  中パネル
９ａ  表示窓                              １０ａ、１０ｂ、１０ｃ  リール
１１  メダル投入部                        １２  ベットボタン
１３  スタートレバー                      １４ａ、１４ｂ、１４ｃ  ストップボタン
１５    下パネル                          １６  メダル払出口
１７ａ、１７ｂ  放音部                    １８  操作卓
１００  主制御基板
１００ａ  実装面                          １００ｂ  配線面
１０１、１０２、１０３  配線              １０４ａ、１０４ｂ  導電コイル
１１１、１１２  切換スイッチ              １１３  切換駆動回路
１１４  送信アンプ                        １１５  交流電源
１１６  受信アンプ                        １１７  判定回路
１１８  基準値設定回路（メモリ）          １２０  ラッチ回路
１２１  デコード回路                      １２２  主電源装置
１２３  反転回路                          １５０  封印シール
２００  ＣＰＵチップ                      ２１０  ソケット
Ｉ  渦電流                                Ｑ  出力
Ｒ  リセット入力                          Ｓ  セット入力
ＫＳＷ  キースイッチ                      ＭＳＷ  メインスイッチ
ＳＳＷ  操作入力スイッチ
【図１】
2009050536.tif 000003
【図２】
2009050536.tif 000004
【図３】
2009050536.tif 000005
【図４】
2009050536.tif 000006